(57)【要約】      （修正有）【課題】簡単な構造でありながらユニークな形状で光の拡散性に優れ装飾性の高いＬＥＤ照明器具を提供する。【解決手段】ＬＥＤ照明器具は、任意の支持手段により支持される支柱６を有し、その外面にはこれに沿ってＬＥＤ光源部８が取り付けられている。支柱６の頂部には支柱６に対して垂直方向に延びるキャップ１０が取り付けられ、該キャップ１０に布状カバー１２が掛けられている。布状カバー１２はキャップ１０に支持された部分を残して他の部分が下方に垂れ下がり、布状カバー１２はＬＥＤ光源部８の周囲を覆っている。ＬＥＤ光源部８は多数のＬＥＤ素子が、長手方向に沿って列状に配列されている細長状の既成規格品のバータイプＬＥＤ２４により構成され、布状カバー１２は薄い布等により構成される。【選択図】図１
0003166812.tif 000002
【実用新案登録請求の範囲】
【請求項１】
パイプ状の支柱（６）と、該支柱（６）の外面にこれに沿って取り付けられたＬＥＤ光源部（８）と、前記支柱（６）の頂部に取り付けられたカバー支持用のキャップ（１０）と、前記キャップ（１０）に掛けられこのキャップ（１０）に支持された部分を残して他の部分が下方に垂れ下がり前記ＬＥＤ光源部（８）の周囲を覆う下端が開放された光透過性を有する布状カバー（１２）と、前記ＬＥＤ光源部（８）を、多数のＬＥＤ素子（２６）が長手方向に沿って列状に配列されている細長状のバータイプＬＥＤ（２４）により構成したことを特徴とするバータイプＬＥＤを用いた照明器具。
【請求項２】
前記布状カバー（１２）は、布又は布に近似したシート材で構成されていることを特徴とする請求項１に記載のバータイプＬＥＤを用いた照明器具。
【請求項３】
前記バータイプＬＥＤ（２４）を前記支柱（６）に１本又は円周方向に複数本並列に配置したことを特徴とする請求項１に記載のバータイプＬＥＤを用いた照明器具。
【考案の詳細な説明】
【技術分野】
【０００１】
本考案は、主として室内照明用に使用されるバータイプＬＥＤを用いた照明器具に関する。
【背景技術】
【０００２】
ＬＥＤを用いた照明スタンドが従来知られている（例えば特許文献１参照）。
また、模様紙を使用した特殊形状のシェードを用いた照明スタンドが従来知られている（例えば特許文献２参照）。
しかしながら、任意の支持手段によって支持される支柱の長手方向に沿ってＬＥＤ素子を列状に配置したバータイプＬＥＤを取付け、このバータイプＬＥＤを、取り替え可能な、下部が垂れ下がった布状カバーで覆い、多様なデザインを可能とした照明器具の構造は従来知られていない。
【先行技術文献】
【特許文献】
【０００３】
【特許文献１】特開２００６−１０７８５１
【特許文献２】特開２００６−７３５４２
【考案の概要】
【考案が解決しようとする課題】
【０００４】
本考案は、バータイプＬＥＤを用いて光の拡散性が良く装飾性の高い、容易に製造可能な、しかも多様なデザインが可能なユニークな形状の照明器具を提供することを目的とする。
【課題を解決するための手段】
【０００５】
上記目的を達成するため本考案は、パイプ状の支柱（６）と、該支柱（６）の外面にこれに沿って取り付けられたＬＥＤ光源部（８）と、前記支柱（６）の頂部に取り付けられたカバー支持用のキャップ（１０）と、前記キャップ（１０）に掛けられこのキャップ（１０）に支持された部分を残して他の部分が下方に垂れ下がり前記ＬＥＤ光源部（８）の周囲を覆う下端が開放され又は半開放された光透過性を有する布状カバー（１２）と、前記ＬＥＤ光源部（８）を、多数のＬＥＤ素子（２６）が長手方向に沿って列状に配列されている細長状のバータイプＬＥＤ（２４）により構成したことを特徴とするものである。
また本考案は、前記布状カバー（１２）は、布又は布に近似したシート材で構成されていることを特徴とする。
また本考案は、前記バータイプＬＥＤ（２４）を前記支柱（６）に１本又は円周方向に複数本並列に配置したものである。
【考案の効果】
【０００６】
本考案は、クラゲや鮹などをイメージさせるユニークな有機的形状を簡単な機構で実現することができ、光の拡散性が良く、装飾性の高いしかも多様なデザインが可能な照明器具を提供することができる。
【図面の簡単な説明】
【０００７】
【図１】本考案に係るバータイプＬＥＤを用いた照明器具の正面断面図である。
【図２】支柱上部の断面図である。
【図３】ＬＥＤ光源部の断面図である。
【図４】本考案の説明図で、異なった本数のバータイプＬＥＤの取付例を示すものである。
【図５】キャップの一例の説明図である。
【考案を実施するための形態】
【０００８】
以下に本考案の実施の形態を添付した図面を参照して詳細に説明する。
図１は本考案に係るバータイプＬＥＤを用いた照明器具を照明スタンドとして用いた実施形態の全体正面図を示している。
本考案は下記に説明する照明スタンドに特に限定されるものではなく、本考案の構造は、吊下灯や壁付灯等にも応用できる。
ＬＥＤ照明スタンド２は、台座４と、支柱６と、ＬＥＤ光源部８と、カバー支持用のキャップ１０と、布状のカバー１２と、布状のカバー１２をキャップ１０に係止する留め具３６とより構成されている。前記台座４は、机やテーブルあるいは床面上に載置するのに適した任意の形状に設定され、石材、木材、金属、プラスチックその他任意の材料により構成される。
【０００９】
台座４の下面には、硬質ゴムなどからなる脚部１６が突設され、台座４と載置面１８の間に配線や支柱固定のための空間を形成している。前記台座４には垂直に穴が穿設され、該穴に金属製の丸パイプからなる支柱６の下部ねじ部が挿入され、ナット２０，２２により、該下部ねじ部が台座４に固定されている。前記支柱６の上半部の外周面の三方向位置には、細長長尺状のバータイプＬＥＤ２４が図３に示すように、上下端のビス（図示省略）により固着されている。
【００１０】
前記バータイプＬＥＤ２４は、既製の規格品であり、所定の間隔を存して多数のＬＥＤ素子２６が長手方向に沿って一列状に配列配置された構成となっている。前記各バータイプＬＥＤ２４の配線に接続された電気コードは、支柱６の頂部の穴３８を通じて支柱６の内部に導かれ、この支柱６の内部の電線コードは、支柱６の下端から外部に導かれ、台座４に設けられた電源オンオフプッシュスイッチ２７や、外部の電源オンオフフットスイッチに接続している。
【００１１】
前記支柱６の上部には、図２に示すように、留金物の脚１４を介してベース２８が固定され、該ベース２８にボルト３０が固定されている。前記ボルト３０にはカバー押さえ金物（ワッシャ）３２とキャップ１０が嵌挿配置されるように構成されている。前記キャップ１０は布状カバー１２を、支柱６の長手方向に対してほぼ垂直方向に所定の範囲で支持できる形状のものであれば透明プラスチック板や針金などどのような形状のものでも良い。
【００１２】
前記キャップ１０上には薄い布などからなる布状カバー１２が被せられ、この布状カバー１２は自重または端部に取り付けられた錘（図示省略）により、キャップ１０に支持された水平部分を残して、他の部分が垂れ下がり、全体としてＬＥＤ光源部８を囲む円筒状又は円錐状の笠を形成する。また、布状カバー１２の下端をある程度絞った形とし、該下端を半開放状態としても良い。即ち本考案は、布状カバー１２の下端の開放状態は、下端を自由端とした状態および半開放の状態を含むものである。
【００１３】
布状カバー１２の中央には、ボルト３０を逃げる穴が設けられ、この穴が図２に示すようにボルト３０に挿入され、該状態でカバー１２の穴の周囲が、ボルト３０に螺合する袋ナット３４の締め付け力によりカバー押さえ金物（ワッシャ）３２とキャップ１０とに挟持されて、カバー１２の中央部はキャップ１０に脱着可能に係止される。ボルト３０に螺合する袋ナット３４とカバー押さえ金物３２は、布状カバー１２をキャップ１０に係止するための留め具３６を構成する。この留め具３６は特に図示する構造に限定されるものではなくどのような構造でも良い。また、キャップ１０の形状により、これに被せたカバー１２がキャップ１０からずれないように係止することもでき、この場合には留め具３６を廃止することもできる。
【００１４】
カバー１２は袋ナット３４をボルト３０から外すことで簡単に交換することができる。上記ＬＥＤ光源部８は、図３に示す、バータイプＬＥＤ２４を３本配置した構成に特に限定されるものではなく、図４（Ａ）（Ｂ）（Ｃ）に示すように、必要に応じ１本乃至複数本支柱６に取り付けるようにしても良い。例えば２本の場合でも、光源の光は布の内側で反射・拡散され、布状カバー１２全体が均等に光を発する。
本考案は支柱６を台座で支持した電気スタンドに特に限定されるものではなく、台座の代わりにクランプでも良く、支柱６の上部を天井から吊り下げれば、吊り下げ灯となり、支柱６下部を加工すれば、壁付灯となる。
【００１５】
上記した構成において、電源スイッチ２７を入れると、ＬＥＤ光源部８から出る光は、その周囲の布状カバー１２を照射する。これにより布状カバー１２が内部の光を複雑に透過反射させ、カバー１２がその色に応じて装飾性のある淡い光を拡散する。布等の種類によっては、ＬＥＤ光源の列が蛍の光のように映り装飾的効果を生む。この布状カバー１２の下端はフリーの状態となっている場合には、発光するキャップ１０が例えばクラゲやタコなどの有機体をイメージさせる。ＬＥＤは発熱量が極めて少ない光源であるため、カバーを布で構成すれば、布で包まれてもカバー下部がある程度開放されているため、且つ、布自体に通気性があるので、ＬＥＤ周辺の温度はほとんど上昇しない。
【００１６】
尚、布状カバー１２は光透過性の高い薄い布が最も望ましいが特に、その材料は布に限定されるものではなく、柔軟性のある合成樹脂シートその他有機性の同効材を用いることができる。また、本実施形態に使用されるカバー１２は、特定の形状に加工する必要はなく、平面、立体その他任意の形状のものを使用することができる。
上記照明スタンドの構造方式は、キャップの構造・形状や、カバー等の種類・色、形状を変化させることにより、極めて多様な照明スタンドのデザインが可能である。また、カバー等は必要により取り替えやクリーニングが可能である。
【符号の説明】
【００１７】
２      ＬＥＤ照明スタンド
４      台座
６      支柱
８      ＬＥＤ照明部
１０    キャップ
１２    カバー
１４    留金物の脚
１６    台座の脚部
１８    載置面
２０    ナット
２２    ナット
２４    バータイプＬＥＤ
２６    ＬＥＤ素子
２７    スイッチ
２８    ベース
３０    ボルト
３２    カバー押さえ金物（ワッシャ）
３４    袋ナット
３６    留め具
【図１】
0003166812.tif 000003
【図２】
0003166812.tif 000004
【図３】
0003166812.tif 000005
【図４】
0003166812.tif 000006
【図５】
0003166812.tif 000007